(57)【要約】  ２つのパネル（５０、６０）を繋止するための配置であって、該配置は、第１および第２雄型タブ（３９ａ、３９ｂ）と、第１および第２雌型タブ（４３）とを備え、第１および第２雄型タブは、それぞれ第１および第２折り曲げ可能結合部（４１）によって第１パネルに対して折り曲げられ、第１雌型タブは第３折り曲げ可能結合部によって第２パネルに対して折り曲げられ、第１および第２折り曲げ可能結合部は、互いに対して分岐している。
2013502352.tif 000002
【特許請求の範囲】
【請求項１】
２つのパネルを繋止するための配置であって、当該配置は、第１および第２雄型タブと少なくとも１つの雌型タブを備え、前記第１および第２雄型タブは、第１および第２折り目で第１パネルに対してそれぞれ折り曲げられ、前記少なくとも１つの雌型タブは折り曲げ可能に第２パネルに結合され、前記第１および第２折り目は、互いに対して分岐していることを特徴とする配置。
【請求項２】
前記第１および第２雄型タブは、前記第１および第２折り目が前記第１パネルの自由端に傾斜した関係で配置されることを特徴とする請求項１に記載の配置。
【請求項３】
前記第１および第２折り目は、９０度より小さな傾斜、または、９０度より大きな傾斜で配置されることを特徴とする請求項２に記載の配置。
【請求項４】
前記第１および第２折り目は、前記第１パネルの自由端に対して略４５°傾斜して配置されることを特徴とする請求項２に記載の配置。
【請求項５】
前記第１および第２折り目は、互いに略垂直に配置されることを特徴とする請求項１〜４のいずれか一項に記載の配置。
【請求項６】
前記第１および第２折り目は、前記第１パネルの自由端に向けて分岐して延在することを特徴とする請求項１に記載の配置。
【請求項７】
前記第１および第２折り目は、前記第１パネルの自由端から離れるように分岐して延在することを特徴とする請求項１に記載の配置。
【請求項８】
前記第１パネルに対して第３折り目に沿って折り曲げられる第３雄型タブをさらに備え、前記第１、第２および第３折り目が、それぞれ互いに対して分岐して配置されることを特徴とする請求項１に記載の配置。
【請求項９】
前記第１および第２折り目は、頂点を形成するように互いに接触する関係であることを特徴とする請求項１に記載の配置。
【請求項１０】
前記少なくとも１つの雌型タブは、前記第２パネルに折り曲げ可能に結合された第１および第２雌型タブを備えることを特徴とする請求項１に記載の配置。
【請求項１１】
前記第１および第２雌型タブは、それぞれ第３および第４折り目に沿って前記第２パネルに対して折り曲げられ、前記第３および第４折り目それぞれが、前記第２パネルの自由端に対して傾斜した関係で配置されることを特徴とする請求項１０に記載の配置。
【請求項１２】
前記第３および第４折り目は、互いに傾斜した関係で配置されることを特徴とする請求項１１に記載の配置。
【請求項１３】
前記少なくとも１つの雌型タブの自由端または側端は、前記第１および第２雄型タブが、それぞれ前記第１および第２折り目に沿って折り曲がることを促すような形状および配置にされていることを特徴とする請求項１〜１２のいずれか一項に記載の配置。
【請求項１４】
前記第１および第２雄型タブの幅は、前記少なくとも１つの雌型タブより短くされることを特徴とする請求項１〜１２のいずれか一項に記載の配置。
【請求項１５】
２つのパネル（１２；１１２；２１２、２０；１２０；２２０）を繋止するための配置であって、当該配置は、前記第１パネル（１２；１１２；２１２、）に形成される雄型固定具（３９、３９ａ、３９ｂ；１３９、１３９ａ、１３９ｂ；２３９、２３９ａ、２３９ｂ）、および、前記第２パネル（２０；１２０；２２０）に形成される雌型タブ（４３；１４３；２４３）を備え、
当該配置は、前記２つのパネルを重ねて、前記雄型固定具と前記雌型タブとを一緒に変位することによって、前記２つのパネルを繋止するように操作可能であり、
前記雄型固定具および前記雌型タブそれぞれは、それぞれが形成された前記パネルと離間した側端とに対して押し曲げ可能に結合する基部を備え、
前記雌型タブは、前記第１および第２パネルを繋止するために前記雄型固定具の一側端と係合する手段を備えることを特徴とする配置。
【請求項１６】
２つのパネル（１２；１１２；２１２、２０；１２０；２２０）を繋止するための配置であって、当該配置は、前記第１パネル（１２；１１２；２１２、）に形成される雄型固定具（３９、３９ａ、３９ｂ；１３９、１３９ａ、１３９ｂ；２３９、２３９ａ、２３９ｂ）、および、前記第２パネル（２０；１２０；２２０）に形成される雌型タブ（４３；１４３；２４３）を備え、
当該配置は、前記２つのパネルを重ねて、前記雄型固定具と前記雌型タブとを一緒に変位することによって、前記２つのパネルを繋止するように操作可能であり、
前記雄型固定具は、２つの雄型タブ（３９ａ、３９ｂ；１３９ａ、１３９ｂ；２３９ａ、２３９ｂ）に分離可能であり、前記雄型タブおよび前記雌型タブそれぞれは、前記雄型タブおよび前記雌型タブそれぞれは、それぞれが形成された前記パネルと離間した側端とに対して押し曲げ可能に結合する基部を備え、
前記雌型タブ（４３；１４３；２４３）は、前記２つの雄型タブが離間し、変位した前記雌型および雄型タブを繋止するために、前記２つの雄型タブの間に挿入可能であることを特徴とする配置。
【請求項１７】
前記雄型固定具は、２つの雄型タブに分離可能であり、前記雌型タブは、前記２つの雄型タブが離間するように前記２つの雄型タブの間に挿入可能であることを特徴とする請求項１５に記載の配置。
【請求項１８】
前記雌型タブは、少なくとも１つの雄型タブ（３９、３９ａ、３９ｂ；１３９、１３９ａ、１３９ｂ；  ２３９、２３９ａ、２３９ｂ）が係合可能である引っ掛かりを形成するように配置される肩部（４８；１４８；２４８）および頭部（４４；１４４；２４４）を備えることを特徴とする請求項１６または１７に記載の配置。
【請求項１９】
前記肩部は、前記雌型タブの傾斜した両端から成り、前記雄型タブが、前記雄型タブが前記傾斜した両端上に、前記雄型タブの下面が当接するように、変位されることを特徴とする請求項１８に記載の配置。
【請求項２０】
前記雄型タブそれぞれは、前記雌型タブが前記第２パネルの面から出るように変位するとき、前記第２パネルによってもたらされる両側端（Ｅ）  を係合させることを特徴とする請求項１９に記載の配置。
【請求項２１】
前記雄型タブは、前記雄型タブそれぞれの一側端の効力によって傾斜した両端で自然に折れ曲がることを促され、前記雄型タブそれぞれが、もう一方の離間した側端の終点からオフセットした点で終結することを特徴とする請求項２０に記載の配置。
【請求項２２】
前記雄型タブは、前記雄型タブそれぞれの概念的な中心軸に対して傾斜した折り目で折り曲げ可能であることを特徴とする請求項１６〜２１のいずれか一項に記載の配置。
【請求項２３】
前記雄型タブは、前記雄型タブを分離する切れ目（３２ａ；１３２ａ；２３２ａ）を備え、前記雄型タブそれぞれは、前記雄型タブが互いから離れるように折れ曲がることを促されるように、前記切れ目に対して傾斜した折り目で折れ曲がり、
前記雌型タブは、２つの傾斜した肩部と頭部とを備え、前記頭部は、前記雄型タブそれぞれの離間した端が、前記雌型タブの前記頭部と対応する前記傾斜した肩部との間に形成される引っ掛かり内で係合可能なように、前記２つの雄型タブの間に配置可能であることを特徴とする請求項１６に従属する請求項２２に記載の配置。
【請求項２４】
前記雄型タブの前記折り目は、前記雄型タブはそれらの折り目で折れ曲がるように、前記雌型タブの傾斜した両端と類似する角度が付けられることを特徴とする請求項１９に従属する請求項２２に記載の配置。
【請求項２５】
前記雄型タブの折り目と、固定孔の両側端（Ｅ）の少なくとも一部が、実質的に平行な関係で重ねられることを特徴とする請求項２４に記載の配置。
【請求項２６】
前記雄型タブは、固定孔の両側端に係合するような形状およびサイズにされた膨隆肩部を備えることを特徴とする請求項１６〜２５のいずれか一項に記載の配置。
【請求項２７】
前記固定孔の前記両側端は、前記雌型タブが、前記第２パネルの面から出るように変位するとき、前記第２パネルに形成されることを特徴とする請求項２５または２６に記載の配置。
【請求項２８】
請求項１〜２７のいずれか一項に記載の配置によって連結された２つのパネルを備えるカートン。
【請求項２９】
複数の物品と、前記複数の物品を収容する、請求項２８に記載のカートンと、を備える梱包。
【請求項３０】
請求項２８に記載のカートンを形成するためのブランク。
【発明の詳細な説明】
【技術分野】
【０００１】
本発明は、例えば、カートンの重複パネルなどの一対のパネルを連結するためのパネル結合手段に関する。ある状況では、これらのパネルは、両端が引き合わされ連結される、板紙梱包ブランクの両端から成る。
【背景技術】
【０００２】
１つのパネルから打ち出される固定タブを使用する一対のパネルを連結することは既知である（例えば、カートン包装紙の一端）。固定タブは、別のパネルから打ち出される保持タブによって画定される対応する孔を通過して押し進められる、または、突かれるように配置される（例えば、カートン包装紙の一端）。このような「パンチ・ロック（punch-locks）」は、例えば、特許文献１および特許文献２において既知であり、図示される。
【先行技術文献】
【特許文献】
【０００３】
【特許文献１】米国特許第４、０９３、１１６号
【特許文献２】米国特許第５、１３１、５８８号
【発明の概要】
【発明が解決しようとする課題】
【０００４】
経費削減および環境上の理由のため、特に、板紙およびプラスッチク梱包のためにより軽い重さの材質を使用すること、また、結合機構の位置決めの観点からより高い可撓性を有することが望ましい。これら、および別の理由から、本発明は、パネルの連結機構の分野における改善を実現することを課題とする。
【課題を解決するための手段】
【０００５】
第１の態様によると、本発明は、２つのパネル（５０、６０）を繋止するための配置を提供し、該配置は、第１および第２雄型タブ（３９ａ、３９ｂ）と、第１および第２雌型タブ（４３）とを備え、第１および第２雄型タブは、それぞれ第１および第２折り曲げ可能結合部（４１）によって第１パネルに対して折り曲げられ、第１雌型タブは第３折り曲げ可能結合部によって第２パネルに対して折り曲げられ、第１および第２折り曲げ可能結合部は、互いに対して分岐している。
【０００６】
好ましくは、雄型タブは、第１および第２折り目が第１パネルの自由端に対して傾斜した関係で配置される
【０００７】
好ましくは、第１および第２折り目は、９０度より小さな傾斜、または、９０度より大きな傾斜で配置される。好ましくは、第１および第２折り目は、第１パネルの自由端に対して略４５°傾斜して配置される。
【０００８】
好ましくは、第１および第２折り目は、互いに略垂直に配置される
【０００９】
好ましくは、第１および第２折り目は、第１パネルの自由端に向けて分岐する。
【００１０】
好ましくは、第１および第２折り目は、第１パネルの自由端から離れるように分岐する。
【００１１】
好ましくは、第３雄型タブが、第１パネルに対して第３折り目に沿って折り曲げられ、第１、第２および第３折り目が、それぞれ互いに対して分岐して配置される。
【００１２】
好ましくは、第１および第２折り目は、頂点を形成するように互いに接触している。好ましくは、第４折り曲げ可能結合部に沿って第２パネルに対して折り曲げられる第２雌型タブが備えられる。
【００１３】
好ましくは、第３折り曲げ可能結合部は、第２パネルの自由端に対して傾斜した関係で配置される。
【００１４】
好ましくは、第３および第４折り目は、互いに、かつ／または、第２パネルの自由端に対して傾斜した関係で配置される。好ましくは、各雌型タブの自由端または側端は、雌型タブまたは対応する雄型タブが、第１パネルの自由端に対して傾斜した関係で折り曲がることを促すように形成され配置されている。
【００１５】
好ましくは、雄型タブの幅は、雌型タブより短かくされる。
【００１６】
第２の態様によると、本発明は、２つのパネルを繋止する配置を提供し、該配置は、第１パネルに形成される雄型タブ、および、第２パネルに形成される雌型タブを備え、該配置は、２つのパネルを重ねて、雄型タブと雌型タブとを一緒に変位することによって、２つのパネルを繋止するように操作可能であり、雄型タブおよび前記雌型タブそれぞれは、それぞれが形成された前記パネルと離間した側端とに対して押し曲げられる基部を備え、雌型タブは、変位したタブを繋止し、それにより第１および第２パネルを繋止するために雄型固タブの一側端と係合する手段を備える。
【００１７】
第３の態様によると、本発明は、２つのパネルを繋止する配置を提供し、該配置は、第１パネルに形成される雄型タブ、および、第２パネルに形成される雌型タブを備え、該配置は、２つのパネルを重ねて、雄型タブと雌型タブとを一緒に変位することによって、２つのパネルを繋止するように操作可能であり、雄型タブおよび前記雌型タブそれぞれは、それぞれが形成された前記パネルと離間した側端とに対して押し曲げられる基部を備え、雄型タブは２つの雄型タブに分離可能であり、前記雌型タブは、それらの２つの雄型ラブを分離し、変位した雌型および雄型タブを繋止するために、それらの２つの雄型タブの間に挿入可能であり、これにより第１および第２パネルを繋止する。
【００１８】
付随的に、雄型タブは、２つの雄型タブに分離可能であり、雌型タブは、それら２つの雄型タブが離間するようにそれら２つの雄型タブの間に挿入可能であり、変位したタブを繋止し、これにより、第１および第２パネルを繋止する。
【００１９】
付随的に、雌型タブは、雄型タブが係合可能である引っ掛かりを形成するように配置される肩部および頭部を備える。
【００２０】
付随的に、肩部は、前記雌型タブの傾斜端であり、雄型タブが、雄型タブがその下面がこの傾斜端に当接するように、変位される。
【００２１】
付随的に、雄型タブは、雌型タブが第２パネルの面から出るように変位されるとき第２パネルに形成される傾斜端で折り曲げられる。
【００２２】
付随的に、雄型タブは、雄型タブの一側端の効力によって傾斜端で自然に折れ曲がることを促され、雄型タブは、もう一方の離間した側端の終点からオフセットした点で終結する。
【００２３】
付随的に、雄型タブは、雄型タブの概念的な中心線に対して傾斜した１つ以上の折り目で折り曲げ可能である。
【００２４】
雄型タブは、雄型タブを２つの雄型タブに分離する切れ目を備え、前記２つの雄型タブそれぞれは、前記雄型タブが互いから離れるように折れ曲がることを促されるように、前記切れ目に対して傾斜した折り目で折れ曲がり、雌型タブは、２つの傾斜した肩部と頭部とを備え、頭部は、前記２つの雄型タブそれぞれの離間した端が、前記雌型タブの前記頭部と対応する前記傾斜した肩部との間に形成される引っ掛かり内で係合可能なように、これら２つの雄型タブの会い差に配置可能である。付随的に、雄型タブの折り目と雌型タブの傾斜端とは、同様に傾斜しており、これにより、雄型タブがその折り目と、雌型タブが第２パネルの面から出るように変位したときに、第２パネルに形成される端とで折れ曲がり、前記折り目および端は、実質的に平行な関係で重ねられる。
【００２５】
付随的に、雄型タブは、端（Ｅ）に近い第２パネルの一部に係合するような形状およびサイズにされた膨隆肩部を備え、端（Ｅ）は、雌型タブが第２パネルの面から出るように変位されたときに、第２パネルに形成される。
【００２６】
任意の上記段落で定義された配置によって連結された２つのパネルを備えるカートン。
【００２７】
複数の物品と前の段落で定義されたカートンとを備える梱包。
【００２８】
本発明の例示的実施形態を、添付図の参照とともに以下に説明する。
【図面の簡単な説明】
【００２９】
【図１】組立状態において巻きカートンを固定するためのブランクの底面パネルを合わせて連結するためのパネル連結手段を有する、巻きカートンを形成するブランクの平面図である。
【図２】本発明の第１実施形態のパネル連結手段の「全面型」および「半面型」を示す、図１のブランクの一部の拡大図である。
【図３】図１のブランクから形成される巻きカートンの斜視図であり、「半面型」パネル連結手段がカートンの底にあることが分かる。
【図４】（図１に示すものに似た）ブランクの一部の拡大図であり、本発明の第２実施形態におけるパネル連結手段の「全面型」および「半面型」が示される。
【図５】外観が破線の輪郭線で示された、普段は隠れて見えない下部パネルの外観が見られるように、透視図で示す上端パネルで互いの上に重ねられた図４の２つのパネルの概略図である。
【図６】本発明の第２実施形態のパネル連結手段の２つの変形の斜視図であり、連結手段はパネルを繋止するように展開されている。
【図７】本発明の第２実施形態のパネル連結手段の２つの変形の斜視図であり、連結手段はパネルを繋止するように展開されている。
【図８】本発明の第２実施形態のパネル連結手段の２つの変形の斜視図であり、連結手段はパネルを繋止するように展開されている。
【図９】図１に示すものと同類のブランクの一部の拡大図であり、本発明の第３実施形態におけるパネル連結手段の「全面型」および「半面型」を示す。
【図１０】固定された形態で示される図９の「全面型」パネル連結手段の斜視図である。
【図１１】本発明の第４実施形態におけるパネル連結手段を有するカートンを形成するためのブランクの平面図である。
【図１２Ａ】本発明の第４実施形態におけるパネル連結手段の雌型要素の拡大平面図である。
【図１２Ｂ】本発明の第４実施形態におけるパネル連結手段の雄型要素の拡大平面図である。
【図１３】展開された形態での図１１〜図１２Ｂのパネル連結手段の平面図である。
【図１４】展開された位置での図１１のパネル連結手段を有するカートンの内部の右上からの斜視図である。
【図１５】展開された位置での図１１のパネル連結手段を有するカートンの内部の左上からの斜視図である。
【図１６】図１１のブランクから形成さあれるカートンの上からの斜視図である。
【図１７】本発明の第５実施形態におけるパネル連結手段を有するカートンを形成するためのブランクの平面図である。
【図１８】本発明の第５実施形態におけるパネル連結手段の雄型および雌型要素の拡大図である。
【図１９】本発明の第５実施形態におけるパネル連結手段を有するカートンの内部の右上からの斜視図である。
【図２０】本発明の第５実施形態におけるパネル連結手段を有するカートンの内部の左上からの斜視図である。
【図２１】本発明の第６実施形態におけるパネル連結手段を有するカートンを形成するためのブランクの平面図である。
【図２２】図２１のパネル連結手段の雄型および雌型要素の拡大図である。
【図２３ａ】本発明の第６実施形態における雌型要素の拡大平面図である。
【図２３ｂ】本発明の第６実施形態における雄型要素の拡大平面図である。
【図２４】本発明の第６実施形態におけるパネル連結手段を有するカートンの内部の上からの斜視図である。
【発明を実施するための形態】
【００３０】
本発明の特定の実施形態がここから記載される。実施形態は例であり、本発明が実施され得る全ての方法の包括的な記録を示すようなものではない。本発明が実施され得る方法の全ての可能な変形や組合せを記載し、図示することを法律は要求しないし、それは不可能であろう。例示的な実施形態それぞれの詳細な説明は、本発明を理解することが読者にできるように特定の詳細を含むが、本発明はこれらの特定な詳細なしで実施可能である。説明される様々な例示的な実施形態では、図示される実施形態それぞれにおいて、同様の符号が、可能な場合、同様の形態を示すように使用されるが、互いの異なる実施形態を区別するために前に付く固定数「１００」および「２００」が使用される。
【００３１】
図１を参照すると、図３に図示する巻きスタイルカートン３０を形成するための、板紙またはプラスチック材などの折り曲げ可能なシート材のブランク１０が示される。ブランク１０は、２×３の配置で６個のボトルＢをしっかり保持するようなサイズ、形状、および構成にされる。後術の説明を読むことで、説明されるパネル連結手段が、多くの用途に利用可能であることが理解されるだろう。パネル連結手段は、梱包の分野において有利な用途を有するが、梱包のスタイル、梱包が形成される素材、梱包される物品および梱包される物品の数は、多くの様々な選択肢から選択されてもよく、明細書で形成されるブランク１０およびカートン３０などは、本発明が実施され得る多くの様々な方法の１つを示すに過ぎない。
【００３２】
ブランク１０は、第１底面パネル１２、第１側面パネル１４、上面パネル１６、第２側面パネル１８、および、第２底面パネル２０を含む、連続して隣接するパネルに折り曲げ可能に連結された複数のパネルを備える。ブランク１０は、形成されたカートン３０において物品Ｂを固定するための、複数の完全に随意的な造作をさらに備え、これらの造作は、ヒール固定孔２２、切れ目アクセス開梱手段２８、ボトル上部固定孔２４、および把持手段２６を含む。これらの造作は、本発明の一部を形成せず、より詳細に説明されない。
【００３３】
ブランク１０の第１および第２底面パネル１２、２０には、本発明の第１実施形態におけるパネル連結手段が設けられる。第１実施形態の２つの変形が、それぞれ「反面型（ＩＭ１）」および「全面型（ＩＭ２）」として示される。両変形（ＩＭ１、ＩＭ２）の「雄型」要素Ｍ１、Ｍ２は、第１底面パネル１２から打ち出され、一方、両変形（ＩＭ１、ＩＭ２）の「雌型」要素Ｆ１、Ｆ２は、第２底面パネル２０から打ち出される。
【００３４】
第１および第２底面パネル１２、２０の拡大図を図２に示す。パネル連結手段の第１変形は、雄型要素Ｍ１および雌型要素Ｆ１を備える。雄型要素Ｍ１は、弓形切れ目３４および直線切れ目３２によって画定される。弓形切れ目３４の第１終点は直線切れ目３２の終点に一致する。この点から、弓形切れ目３４および直線切れ目３２は、両者の間に領域を有して分岐し、この領域が雄型要素Ｍ１の雄型タブ３９を意味する。弓形切れ目３４の他方の終点は、直線切れ目３２と弓形切れ目３４との間に延在する随意的な折り目または折り曲げ可能線４１に一致する。好ましくは、弓形切れ目３４および直線切れ目３２の一致しない終点は、互いからオフセットしており、パネル１２の水平および垂直軸の両方において互いに離間する。このようなものとして、随意的な折り曲げ可能線４１が曲げられる。
【００３５】
雄型タブ３９は、第１底面パネル１２の面から出るように、折り曲げ可能線４１で折り曲げ可能である。雄型タブ３９は、第２底面パネル２０の面から出るようにメス型要素Ｆ１を変位する雄型タブによって作られた孔に挿入可能である。雌型要素Ｆ１は、直線切れ目４２、頭部４４、傾斜肩部４８、および、２つ目の直線切れ目５３によって画定される。頭部４４は、円形端部によって画定される。
【００３６】
本発明の第１実施形態におけるパネル連結手段の第２変形（ＩＭ２）は、図２に拡大図でも示される。事実上、雄型要素Ｍ２は、左右対称形状で互いに隣接して配置された、２つのＭ１型の雄型要素を有する。このようにして、雄型要素Ｍ２は、隣り合わせに配置され、２つの連続した弓形切れ目３４によって画定された一対の雄型タブ３９ａ、３９ｂを備える。直線切れ目３２ａの１つ目の終点は、２つの連続した弓形切れ目３４の中点と一致する。直線切れ目３２ａの２つ目の終点は、弓形切れ目３４の両端点から、第１底面パネル１２の水平および垂直軸の両方からオフセットし、離間している。随意的な傾斜折り目４１は、直線切れ目３２ａの２つの目の終点を各弓形切れ目３４の隣接する終点と連結する。第１実施形態の両変形の雄型要素Ｍ１およびＭ２の折り目４１は、第１底面パネル１２の面から出る雄型タブ３９、３９ａ、３９ｂの変位方向に制御に役立つ。
【００３７】
本発明の第１実施形態におけるパネル連結手段の第２変形（ＩＭ２）において、雌型要素Ｆ２は、事実上、中央に切れ目はないが、左右対称形状で互いに隣接して配置される一対の雌型要素Ｆ１である。雌型要素Ｆ２は、１つの頭部４４、２つの傾斜肩部４８、および、点４６で終端する２つのさらなる切れ目５３を備える。このように画定された雌型タブ４３は、第２底面パネル２０に折り曲げ可能に結合されたままの単一片として、第２底面パネル２０の面から出るように変位可能である。
【００３８】
パネル連結手段の第２実施形態を図４に示す。ここでも、第２実施形態の連結要素の２つの変形（ＩＭ３およぼＩＭ４）が存在し、それぞれが「反面型」（ＩＭ３）および「全面型」（ＩＭ４）に相当する。第２実施形態の変形は、第１実施形態のそれと、随意的な折り目４１が雄型要素Ｍ１０１およびＭ１０２に設けられないことのみにおいて異なる。
【００３９】
本明細書では、パネルを連結する第１の方法は、図示された第２実施形態の「全面型」（ＩＭ４）に関して、次いで、「半面型」（ＩＭ３）に関して説明される。
【００４０】
第１および第２底面パネル１１２、１２０を連結する第１のステップは、第１底面パネル１１２の上に第２底面パネル１２０を位置決めすることである。この第１のステップを図５に示す。第１底面パネル１１２の雄型要素Ｍ１０１およびＭ１０２が見えるように、第２底面パネル１２０は透明なものとして示される（そうしなければ視界を遮る）。雄型要素Ｍ１０１およびＭ１０２は、破線外形線で示される。
【００４１】
第１および第２底面パネル１１２、１２０を連結する第２のステップは、雌型タブ１４３に対して雄型タブ１３０を押圧する、かつ、第２底面パネル１２０の面から出るように雌型タブ１４３を押圧する力を加えることである。雌型タブ１４３が第２底面パネル１２０の面から出るように変位されると、自然折れ目１６２が端点１４６間に形成され、隙間「Ｇ」が、雌型タブ１４３の頭部１４４と第２底面パネル１２０との間に形成される。雄型タブ１３９ａ、１３９ｂに加えた力が、これらの雄型タブ１３９ａ、１３９ｂを隙間「Ｇ」に押し通させる。雄型タブ１３９ａ、１３９ｂが第１底面パネル１１２の面から出るように折り曲げられると、自然折り目１６４ａ、１６４ｂが、各弓形切れ目１３４の終点１３６と直線切れ目１３２ａの端との間の想定線に沿って形成される。雌型タブ１４３の頭部１４４の円形状およびサイズは、雄型タブ１３９ａ、１３９ｂが離間するまたは分岐することを促す。雄型タブ１３９ａ、１３９ｂは、雌型タブ１４３の変位によって作られた孔の端（「Ｅ」）で折れ目１６４ａ、１６４ｂで折り曲げられる。同様に、各弓形切れ目１３４の終点１３６と直線切れ目１３２ａの端とのオフセット性は、雌型要素Ｆ１０２の傾斜肩部１４８で、傾斜した容で、かつ、実質的に平行な配列において形成されることを意味する。また、このことは、雄型タブ１３９ａ、１３９ｂが中央の頭部１４４の両側に移動することを促す。
【００４２】
上方へ押す力が加えられなくなると、折り曲げられたタブ１４３、１３９ａ、１３９ｂは弛緩しようとする。自然に形成された折り目１６２、１６４ａ、１６４ｂに沿って板紙の自然な復元力が、変位したタブ１４３、１３９ａ、１３９ｂが、それらの折り曲げられる前の平面状態に戻ろうとする。しかしながら、雄型タブ１３９ａ、１３９ｂが雌型タブ１４３の端を通り超えて押され、雌型タブ１４３が弛緩し、雄型タブ１３９ａ、１３９ｂの間でくさびになると、雄型タブ１３９ａ、１３９ｂは互いからさらに離れるように押されるために、変位したタブ１４３、１３９ａ、１３９ｂがそれらの折り曲げられる前の平面状態に戻ることは不可能であり。雄型タブ１３９ａ、１３９ｂは、雌型タブ１４３が動こうとしている方向の反対方向である、それらの平面位置に弛緩して戻ろうとしている。従って、雌型タブ１４３および雄型タブ１３９ａ、１３９ｂは、互いに反して行動し、互いがそれらの折り曲げ前の状態に戻ることを防ぐ。タブ１４３、１３９ａ、１３９ｂの相反する力が、雄型タブ１３９ａ、１３９ｂとの固定係合にける雌型タブ１４３を維持することに役立つ。雄型タブ１３９ａ、１３９ｂの折り曲げられる角度は、端「Ｅ」によって案内され、かつ、好ましくは、雌型タブ１４３の傾斜肩部１４８に対する各雄型タブ１３９ａ、１３９ｂの固定係合をさらに助力する傾斜肩部１４８と実質的に平行な状態で配列される。これらの要因は、第１および第２底面パネル１１２、１２０の強固な連結に貢献する。さらに、雄型タブ１３９ａ、１３９ｂの直線端１３２は、頭部１４４と傾斜肩部１４８との間の引っ込んだ箇所に引っ掛けられてもよく、タブ１４３、１３９ａ、１３９ｂの固定された相互係合をさらに安定化する。図６は、雄型タブ１３９ａ、１３９ｂの雌型タブ１４３との固定係合を図示する。
【００４３】
次に、第２実施形態の「半面型」（ＩＭ３）の連結に移る。雄型タブ１３９は、（外力によって）上方向に押し進められる。上述と同様に、雄型タブ１３９は、雌型タブ１４３の傾斜した肩部端１４８を通り過ぎるように押される。その力がなくなると、雌型タブ１４３それぞれが、それらの平面位置に戻ろうとする。これを達成するために、雌型および雄型タブ１４３、１３９は相反する方向に移動しようとする。雌型タブ１４３がその平面位置に弛緩しようとすると、頭部１４４が、雄型タブ１３９がその平面位置に弛緩して戻ることを防ぐ。同様に、雄型タブ１３９の存在と、その折り曲げ連結の角度が、雌型タブ１４３がその元の平面状態に完全に弛緩することを防ぎ、タブ１４３、１３９の相反する要求が、雄型タブ１３９が雌型タブ１４３の傾斜肩部１４８に当接する、連結された均衡をもたらす。図７は、雄型タブ１３９の雌型タブ１４３との固定係合を図示する。
【００４４】
図８は、雄型タブ１３９ａ、１３９ｂの「全面型」（ＩＭ４）の雌型タブ１４３との固定係合と、雄型タブ１３９の「全面型」（ＩＭ３）の雌型タブ１４３との固定係合とを図示する。
【００４５】
第１実施形態の固定配置の「全面型」（ＩＭ２）および「半面型」（ＩＭ１）の連結は、上述と同様に実施可能である。特定の画された折り目４１は、端「Ｅ」に対する雄型タブ３９、３９ａ、３９ｂの傾斜した折り曲げを促し、雄型タブ１３９、１３９ａ、１３９ｂが雌型タブ４３の同じように傾斜した肩部４８に当接することを促す。
【００４６】
説明された固定機構を使用して第１および第２底面パネル１２；１１２、２０；１２０を併せて連結する第２の別の方法において、第１底面パネル１２；１１２は、第２底面パネル２０；１２０の上に配置される。第２底面パネル２０；１２０の面から出るように、雌型タブ４３；１４３を上向きに押す外力が加えられる。雄型要素Ｍ１、Ｍ２ｍ、Ｍ１０１、Ｍ１０２は、雌型要素Ｆ１、Ｆ２、Ｆ１０１、Ｆ１０２の上に配置される。また、外力が使用され、第１底面パネル１２；１１２の面から出るように雄型タブ３９；３９ａ、３９ｂ、１３９；１３９ａ、１３９ｂを変位する。雌型タブ４３、１４３は、第２底面パネル２０；１２０の面から押し出され、かつ、変位した雄型タブ３９；３９ａ、３９ｂ、１３９；１３９ａ、１３９ｂによって作られた隙間に押し通される。頭部４４；１４４は、雌型タブも第１底面パネル１２；１１２の面から出るように変位されるように、直線切れ目３２、３２ａ、１３２、１３２ａに押し通される。これにより、雌型タブ４３；１４３および各雄型タブ３９；３９ａ、３９ｂ、１３９；１３９ａ、１３９ｂが、第１底面パネル１２；１１２から立ち上がっている。外力が除かれると、固定タブ４３；１４３、３９；３９ａ、３９ｂ、１３９；１３９ａ、１３９ｂは、（板紙材の自然な復元力のために）それらの自然な平面位置に弛緩しようとする。
【００４７】
均衡した位置まで弛緩を達成するために反対方向に動こうとする固定タブ４３；１４３、３９；３９ａ、３９ｂ、１３９；１３９ａ、１３９ｂは、雌型タブ４３；１４３または雄型タブ３９；３９ａ、３９ｂ、１３９；１３９ａ、１３９ｂのどちらも互いがあるために動けない位置に達する。この位置において、雌型タブ４３；１４３の傾斜肩部４８；１４８が、隣接する雄型タブ３９；３９ａ、３９ｂ、１３９；１３９ａ、１３９ｂの下面に当接する。追加的に、雌型タブ４３；１４３の頭部４４；１４４と隣接する傾斜肩部４８；１４８とが、直線切れ目３２、３２ａ；１３２、１３２ａによって画定される端が引っ掛かる引っ込んだ箇所を作る。
【００４８】
「全面型」（ＩＭ２、ＩＭ４）では、雌型固定頭部４４；１４４は、雄型タブ３９ａ、３９ｂ；１３９ａ、１３９ｂを押し分ける役割も果たし、これにより、これらの雄型タブ３９ａ、３９ｂ；１３９ａ、１３９ｂがそれらの平面位置に弛緩することをさらに制限し、これにより、連結された配置での高い張力を増幅する。このことは、より強固な固定機構を作り出すことを助力する。連結手段（ＩＭ１、ＩＭ２、ＩＭ３、ＩＭ４）を係合する第２の方法は添付図には示されない。
【００４９】
連結手段（ＩＭ１、ＩＭ２、ＩＭ３、ＩＭ４）を係合する第２の方法は添付図には示されない。
【００５０】
パネル連結手段の第３実施形態を図９に示す。ここでも、第３実施形態の連結要素の２つの変形（ＩＭ５およびＩＭ６）が、「半面型」（ＩＭ５）および「全面型」（ＩＭ６）に相当する。第３実施形態の変形は、雄型タブ２３９、２３９ａ、２３９ｂがより大きく膨らむ方式で形成される点で、第１実施形態の変形と異なる。さらに、雄型タブ２３９、２３９ａ、２３９ｂは、短い直線側端２３７を備える。膨隆部２３６は、膨隆部２３６が、雄型タブ２３９、２３９ａ、２３０ｂが挿入され、これにより、折り目２４１で分かれて開く若しくは曲げられると、（雌型タブ２４３が第２底面パネル２２０の面から出るように変位する際に形成される）固定孔の外に向けていくらか動くように、対応する傾斜折り目２４１（および中央切れ目２３２ｃ）と協働する。雄型タブ２３９、２３９ａ、２３９ｂのこのような外向きの動きは、固定孔内の雄型タブ２３９、２３９ａ、２３９ｂの係合を深く、または強くする。これは、膨隆部２３６が、特に、短い直線側端２３７に隣接する領域で、固定孔の側端「Ｅ」の一部と係合するからである。実際、膨隆部２３６は、第２底面パネル２２０の上にかかり、雄型タブ２３９、２３９ａ、２３９ｂが、平面状態へ戻ろうとする雌型タブ２４３へのより強い対立をもたらし、これにより、連結配置の強固な固定能力を高めるように、雄型タブ２３９、２３９ａ、２３９ｂのさらなる後向きの動きを完全に制限する。
【００５１】
好ましくは、雄型タブ２３９、２３９ａの折り目は、雌型タブ２４３の傾斜端、結果的には固定孔の対応する部分と同じように傾斜し、これにより、雄型タブ２３９、２３９ａ、２３９ｂがこれらの折り目２４１で折れ曲がることを促す。
【００５２】
雄型タブの折り目２４１と固定の孔の端（Ｅ）の傾斜端（Ｅ）の少なくとも一部とが、実質的に平行関係において重ねられる。
【００５３】
雄型タブは、固定孔の両側端に係合するような形状およびサイズにされた膨隆肩部を備える。
【００５４】
固定孔の側端は、雌型タブが第２底面パネルの面から出るように変位されると、第２底面パネルに形成される。
【００５５】
本発明の範囲から逸脱することなく、様々な変形が施されることが望ましく、例えば、固定タブ４３；１４３、３９；３９ａ、３９ｂ、１３９；１３９ａ、１３９ｂのサイズおよび形状が、異なるサイズまたは形状のパネルに適合するように調整されてもよい。
【００５６】
さらに、切れ目３２、３２ａ；１３２、１３２ａが上述のように、他の実施形態で直線なのに対して、切れ目が成形され、かつ、直線でない。切れ目３２、３２ａ；１３２、１３２ａは、頭部４４；１４４と隣接する傾斜肩部４８；１４８との間の引っ込んだ箇所に対して有利な容で形成される。このようにして、切れ目３２、３２ａ；１３２、１３２ａによって画定される雄型タブ３９；３９ａ、３９ｂ、１３９；１３９ａ、１３９ｂは、この引っ込んだ箇所に引っ掛けられ、連結機構の強固な係合を改善することができる。本発明のいくつかの実施形態では、雄型タブ３９；３９ａ、３９ｂ、１３９；１３９ａ、１３９ｂには、グローブ（grove）、切り欠きまたは裂け目が設けられ、雄型タブ３９；３９ａ、３９ｂ、１３９；１３９ａ、１３９ｂと、雌型タブ４３；１４３の頭部４４；１４４と隣接する肩部４８；１４８との間に設けられた引っ掛かり、引っ込んだ箇所、または切り目との係合を強くする。
【００５７】
折り目４１；１４１は、完全に付随的なものとして説明され、図示されてきた。ある環境では、折り目を画することが、第１底面パネル１２；１１２の面から出る、雄型タブ３９；３９ａ、３９ｂ、１３９；１３９ａ、１３９ｂの制御された変位を容易にすることが理解されるだろう。このことは、折り目４１；１４１が、雌型タブ４３；１４３の傾斜肩部４８；１４８によって作り出される、第２底面パネル２０；１２０内の端「Ｅ」とそろえられる点で特に有利である。そのため、折り目４１；１４１が存在する場合、雌型タブの傾斜肩部４８；１４８と同じように作られ、形成れる端Ｅとそろえられることが望ましい。他の実施形態では、雌型タブの肩部４８；１４８は、直線端でなく、図示し、説明したように異なる角度で傾斜していてもよいことが想定される。このような配置では、形成された肩部４８；１４８とそろえた状態で雄型タブ３９；３９ａ、３９ｂ、１３９；１３９ａ、１３９ｂの折り曲げを容易にすることが有利であり、また、設けられる場合は付随的な折り目４１；１４１が、そこに有利な容で形成されるだろう。このようにして、雄型タブ３９；３９ａ、３９ｂ、１３９；１３９ａ、１３９ｂの下面は、雌型タブ４３；１４３の形成された肩部４８；１４８と係合し、当接した状態で保持されることが可能である。ある環境では、第１底面パネル１２；１１２の面から出す雄型タブ３９；３９ａ、３９ｂ、１３９；１３９ａ、１３９ｂの変位を容易にするために折り目を画することは、その平面位置に戻ろうとする板紙の自然な復元力を弱めることができる。このことは、折り曲げの第２の方法が考慮される点で特に重要、または有利である。このような配置では、切れ目３２、３２ａ；１３２、１３２ａの終点と、弓形切れ目３４の終点３６とのオフセット配置が有利になり得る。雄型タブ３９；３９ａ、３９ｂ、１３９；１３９ａ、１３９ｂは、これらの終点間に折り目を付けることが推奨され、また、このようなものとして、このオフセット配置が、２つのタブが固定当接状態で保持され得るように、雌型タブの肩部４８；１４８の形状に合う方法での雄型タブの傾斜した折り曲げを容易にする。
【００５８】
さらなる図示しない実施形態では、雌型タブ４３；１４３には、第２底面パネル２０；１２０の面から出す雌型タブ４３；１４３の変位を容易にするために折り目を画することが行われる。折り目は、「全面型」では終点４６；１４６の間、また、終点４６；１４６と直線切れ目４２；１４２の終点との間に設けられる。また、固定頭部４４；１４４の形状およびサイズは、説明し、図示したように様々であってよい。他の実施形態では、固定頭部４４；１４４は、円形よりむしろ四角く、例えば、正方形形状または台形形状、あるいは三角形形状である（他の形状の例を限定するものではない）。固定頭部は、付随的に、雄型タブ３９；３９ａ、３９ｂ、１３９；１３９ａ、１３９ｂの端を引っ掛けるための引っ込んだ箇所をそれぞれもたたすことが想定され、２つの個別要素を備え、好ましくは、前記個別要素は、雄型タブ３９；３９ａ、３９ｂ、１３９；１３９ａ、１３９ｂが互いから離れるように折り曲げられる手段をもたらすように離間する。このような固定頭部４４；１４４は、「馬蹄」型の形状を有してもよい。このような固定頭部は、「全面型」連結配置においてより有利に設けられ、切れ目３２ａ；１３２ａが、一対の雄型タブ３９ａ、３９ｂ；１３９ａ、１３９ｂ間に配置される。
【００５９】
他の変形も、本発明の範囲内で実施可能である。例えば、連結手段のサイズ、形状、位置、および数は変わってもよい。雌型タブ４３；１４３の両側は、他の実施形態では直線端ではない。
【００６０】
また、２つ以上の連結手段がパネル連結用途で利用される用途において、連結手段の「全面型」のみが使用されるかもしれず、連結手段の「半面型」のみが使用されるかもしれず、または、「全面型」と「半面型」の組合せが使用される。任意の前述の組み合わせにおいて、連結手段には、全ての雌型要素が１つのパネル上に設けられ、全ての雄型要素がもう１つのパネル上に設けられてもよく、あるいは、それぞれのパネル上に雄型および雌型要素が混在して設けられてもよい（１つのパネル上の雌型要素がもう１つのパネル上の雄型要素とそろえられる場合では）。このような状態では、いくつかのパネル連結要素は、雌型要素が雄型要素の上に重ねられて開始する、第１の連結手段を使用して連結されるだろう。一方、他のパネル連結手段は、雄型要素が雌型要素の上に重ねられて開始する、第２の連結手段を使用して連結されるだろう。
【００６１】
２つ以上の連結手段がパネル固定用途において利用される用途では、隣接するパネル連結手段は、パネルの同一の縦軸に沿って配置される必要はない。実際に、本発明の有利な態様の１つは、連結手段が、小型（小さな占有面積を有する）な、特に、連結されたパネルの小さな面積において配置可能な「半面型」（ＩＭ１、ＩＭ３）である。図３に示すように、巻き型キャリアの複合底面壁は、物品を支持しており、立ち上がったタブ３９；３９ａ、３９ｂ、１３９；１３９ａ、１３９ｂは、これらの物品間の隙間に配置される必要がある。効率的な梱包では、これらの隙間は小さく、困った場所に位置し得る。しかしながら、本発明の連結手段は、このような配置においても使用可能である。
【００６２】
本発明のさらなる図示された実施形態を、図１１〜図１６に示す。
【００６３】
ブランク３１０の第１および第２底面パネル３１２、３２０には、図示した第４実施形態におけるパネル連結手段ＩＭ７が設けられる。
【００６４】
第１および第２底面パネル３１２、３２０の拡大図を図１２Ａおよび図１２Ｂに示す。
【００６５】
パネル連結手段ＩＭ７は、雄型要素Ｍ３０２および雌型要素Ｆ３０２を備える。雄型要素Ｍ３０２は、３つの雄型タブ３３９ａ、３３９ｂ、３３９ｃを備える。
【００６６】
第１雄型タブ３３９ａは、第１折り目３１４ａに沿って第１底面パネル３１２に対して折り曲げられ、第２雄型タブ３３９ｂは、第２折り目３１４ｂに沿って第１底面パネル３１２に対して折り曲げられ、第３雄型タブ３３９ｃは、第３折り目３１４ｃに沿って第１底面パネル３１２に対して折り曲げられる。
【００６７】
第１、第２および第３折り目３４１ａ、３４１ｂ、３４１ｃは、互いに対して傾斜して配置される。
【００６８】
好ましくは、第１および第３折り目３４１ａ、３４１ｃは、互いに対して垂直であり、より好ましくは、第１および第３折り目は、互いに対して４５°の角度で配置される。
【００６９】
第１、第２および第３折り目３４１ａ、３４１ｂ、３４１ｃは、互いに隣接して、第１底面パネル３１２から連続して打ち出され、これにより、第１および第２雄型タブ３３９ａ、３３９ｂは、共通の分離線を少なくとも部分的に共有し、第２および第３雄型タブ３３９ｂ、３３９ｃは、共通の分離線を少なくとも部分的に共有する。
【００７０】
第１雄型タブ３３９ａは、第２雄型タブ３３９ｂに隣接する第２の側端に対向する第１側端に沿って配置される、肩部および腰部を備える。
【００７１】
第３雄型タブ３３９ｃは、第２雄型タブ３３９ｂに隣接する第２の側端に対向する第１の側端に沿って配置される、肩部および腰部を備える。
【００７２】
第２雄型タブ３３９ｂは、その両側端に沿った、第２雄型タブの両側端に沿って向かい合って配置された、一対の肩部および腰部を備える。
【００７３】
雌型要素Ｆ３０２は、３つの雌型タブ３４３ａ、３４３ｂ、３４３ｃを備える。
【００７４】
第１雌型タブ３４３ａおよび第２雌型タブ３４３ｂは、互いに隣接して配置され、実質的に五角形形状である。
【００７５】
第１および第２雌型タブ３４３ａ、３４３ｂは、それぞれ第１折り目３４７ａおよび第２折り目３４７ｂで第２底面パネルに対して折り曲げられる。
【００７６】
第１および第２折り目３４７ａ、３４７ｂは、第２底面パネル３２０の自由端３５０に対して傾斜して配向される。第１および第２折り目３４７ａ、３４７ｂは、互いに対して傾斜して配置され、好ましくは、頂点を形成する一端で互いに接触する。
【００７７】
第３雌型タブ３４３ｃは、実質的に長方形形状である。
【００７８】
第３雌型タブ３４３ｃは、折り目３４７ｃに沿って第２底面パネル３２０に対して折り曲げられる。
【００７９】
第３雌型タブ３４３ｃは、第１および第２雌型タブの折り曲げ方法と反対方向に折れ曲がるように第２底面パネル３２０に対して折り曲げられる。第３折り目３４１ｃは、第３雌型タブ３４３ｃの自由端より、第２底面パネル３２０の自由端３５０により近くに配置される。
【００８０】
第３雌型タブ３４３ｃは、第１および第２雌型タブ３４３ａ、３４３ｂが、第３雌型タブ３４３ｃの自由端に配置された凹部を備えるように、第１および第２雌型タブ３４３ａ、３４３ｂの両方からある程度打ち出される。
【００８１】
図１３は、図示した第４実施形態のパネル連結手段を組み立てた状態で示す。第２底面パネル３２０は、第１底面パネル３１２と少なくとも部分的に重なるように配置される。
【００８２】
雄型タブ３３９ａ、３３９ｂ、３３９ｃは、第１底面パネル３１２の面から出るように、かつ、第２底面パネル３２０の面から出るように雌型タブ３４３ａ、３４３ｂ、３４３ｃを変位することによって形成された、第２底面パネル３２０の孔を通すように折り曲げられる。
【００８３】
第１雌型タブ３４３ａの一側端は、第１雄型タブ３３９ａの外面と接触する。
【００８４】
第２雌型タブ３４３ｂの一側端は、第３雄型タブ３３９ｃの外面と接触する。このようにして、第１および第２雌型タブ３４３ａ、３４３ｂは、第１および第３雄型タブ３３９ａ、３３９ｃを折り曲げられた位置で維持する。第２雄型タブ３３９ｂは、第１および第２雌型タブ３４３ａ、３４３ｂの両方によって折り曲げられた位置で保持される。
【００８５】
第２雄型タブ３３９ｂは、第３雌型タブ３４３ｃが、第１雌型タブ３４３ａと同一の面から出るように折り曲げられる際に、第１雌型タブ３４３ａに形成された凹部に受容される。
【００８６】
第２雄型タブ３３９ｂは、第３雌型タブ３４３ｃが、第１雌型タブ３４３ａと同一の面から出るように折り曲げられる際に、第２雌型タブ３４３ｂに形成された凹部にも受容される。このように、第１および第２雌型タブ３４３ａ、３４３ｂは、各凹部に第２雄型タブ３３９ｂの一部をそれぞれ受容し、展開された位置で保持する
【００８７】
第３雌型タブ３４３ｃは、好ましくは、第２雄型タブ３３９ｂを第１底面パネル３１２の面から出るように折り曲げるのと同時に、第２底面パネル３２０の面から出るように折り曲げられる。
【００８８】
外力および／または第３雌型タブ３４３ｃの自由端が、第２雄型タブ３３９ｂの内面と係合する。このように、第３雌型タブ３４３ｃは、第２雄型タブ３３９ｂが、好ましくは第２雌型タブ３４３ａ、３４３ｂの凹部内の第１および第２雌型タブ３４３ａ、３４３ｂとの係合を維持するように促す。
【００８９】
図１４および図１５は、パネル連結手段ＩＭ７が展開された状態であるカートン３３０の内部を図示する。付随的なキール構造体３２３が、２列の物品（図示せず）の間に展開されてもよい。付随的に、キール構造体３２３は、１つ以上の雄型または雌型タブ３３９ａ、３３９ｂ、３３９ｃ、３４３ａ、３４３ｂ、３４３ｃと係合し、所定位置にキール構造体を保持し、かつ／または、連結位置における雄型タブ３３９ａ、３３９ｂ、３３９ｃを保持するための追加的な固定手段を提供してもよい。
【００９０】
図１７は、本発明の図示する第５実施形態におけるカートン５３０を形成するためのブランク５１０を図示する。
【００９１】
ブランク５１０の第１および第２底面パネル５１２、５２０には、図示する第５実施形態におけるパネル連結手段ＩＭ８が設けられる。
【００９２】
第１および第２底面パネル５１２、５２０の拡大図を図１８に示す。
【００９３】
パネル連結手段ＩＭ８は、雄型要素Ｍ５０２および雌型要素Ｆ５０２を備える。雄型要素Ｍ５０２は２つの雄型タブ５３９ａ、５３９ｂを備える。第１雄型タブ５３９ａは、第１折り目５４１ａに沿って第１底面パネル５１２に対して折り曲げられ、第２雄型タブ５３９ｂは、第２折り目５４１ｂに沿って第１底面パネル５１２に対して折り曲げられる。
【００９４】
第１および第２折り目５４１ａ、５４１ｂは、互いに傾斜してそれぞれ配置される。第１および第２雄型タブ５３９ａ、５３９ｂは、第１および第２雄型タブ５３９ａ、５３９ｂが、共通の分離線を少なくとも部分的に共有するように、互い隣接して第１底面パネル５１２から連続して打ち出される。
【００９５】
第１雄型タブ５２９ａは、第２雄型タブ５３９ｂに隣接する第２の側端に対向する第１の側端に配置される、肩部および腰部を備える。
【００９６】
第２雄型タブ５３９ｂは、第１雄型タブ５３９ａに隣接する第２の側端に対向する第１の側端に配置される、肩部および腰部を備える。
【００９７】
各雄型タブ５３９ａ、５３９ｂは、折り目５４６ａ、５４６ｂに沿って雄型タブ５３９ａ、５３９ｂの対応する１つに対してそれぞれ折り曲げられ、かつ、第２側端に沿って配置される、折り曲げ可能な固定要素５３７ａ、５３７ｂを備える。
【００９８】
雌型タブＦ５０２は、２つの雌型タブ５４３ａ、５４３ｂを備える。第１雌型タブ５４３ａおよび第２雌型タブ５４３ｂは、互いに近接して、かつ離間して配置され、また、実質的に台形形状である。第１および第２雌型タブ５４３ａ、５４３ｂは、それぞれ第１折り目５４７ａおよび第２折り目５４７ｂで第２底面パネルに対して折り曲げられる。
【００９９】
第１および第２折り目５４７ａ、５４７ｂは、第２底面パネル５２０の自由端５５０に傾斜して配向される。
【０１００】
第１および第２折り目５４７ａ、５４７ｂは、互いに対して傾斜して配向される。
【０１０１】
図１９および図２０は、ボトルＢが図示する上の目的のために除かれた、カートン５３０の内部を図示する。パネル連結手段ＩＭ８は展開された状態である。
【０１０２】
雄型タブ５３９ａ、５３９ｂは、第１底面パネル５１２の面から出るように折り曲げられており、第２底面パネル５２０の面から出るようになされる第１および第２雌型タブ５４３ａ、５４３ｂの変位によって形成される、第２底面パネル５２０の孔を通過して受容される。好ましくは、雌型タブ５４３ａ、５４３ｂは、雄型タブ５３９ａ、５３９ｂと同時に折り曲げられる。
【０１０３】
折り曲げ可能固定要素５３７ａ、５３７ｂは、折り目５４６ｃで折り曲げられ、各雄型タブ５３９ａ、５３９ｂを各雌型タブ５４３ａ、５４３ｂによって画定される孔に通過可能させる。
【０１０４】
次いで、折り曲げ可能固定要素５３７ａ、５３７ｂは、部分的に曲げ戻される、または、カートン５３０が形成される素材の固有の復元力のために雄型タブ５３９ａ、５３９ｂの面に戻る。
【０１０５】
折り曲げ可能固定要素５３７ａ、５３７ｂの固定端は、対応すえる雄型タブ５３９ａ、５３９ｂが対応する雌型タブ５４３ａ、５４３ｂによって画定される孔を通過することを防ぐために第２底面パネル５２０と係合し、これにより、雄型タブ５３９ａ、５３９ｂを展開された位置で固定する。
【０１０６】
第６実施形態を図２１〜図２４に示す。
【０１０７】
図２１は、巻き型カートンを形成するための、板紙またはプラスチックなどの折り曲げ可能なシート材から成るブランク７１０を示す。
【０１０８】
ブランク７１０は、連続配置され、かつ連続して折り曲げられる複数のパネルを備え、この複数のパネルは、第１底面パネル７１２、第１側面パネル７１４、上面パネル７１６、第２側面パネル７１８、および、第２底面パネル７２０を含む。ブランク７１０は、さらに、形成されたカートン７３０内に物品Ｂを固定するための完全に付随的な造作を複数備え、これらの造作は、ヒール固定孔７２２、切れ目アクセス開梱手段７２８、ボトル上部固定孔７２４、および把持手段７２６を含む。
【０１０９】
ブランク７１０の第１および第２底面パネル７１２、７２０には、本発明の第６実施形態におけるパネル連結手段ＩＭ９が設けられる。
【０１１０】
図２２は、さらに詳細にパネル連結手段ＩＭ９を図示する。パネル連結手段ＩＭ９は、雌型要素Ｆ７０１と結合する雄型要素Ｍ７０１を有する第１パンチ固定を備える。雌型要素Ｆ７０１は、「Ｕ」形分離線によって少なくとも部分的に画定される、実質的に長方形形状タブを備える。雄型要素Ｍ７０１は、第１底面パネル７１２の自由端に向けて指す矢印形状タブを備える。
【０１１１】
また、パネル連結手段ＩＭ９は、本発明の第６実施形態における第２パンチ固定を備え、第２パンチ固定は、雄型要素Ｍ７０２および雌型要素Ｆ７０２を備える。雌型要素Ｆ７０２は、図２３ａにより詳細に図示され、一対の雌型タブ７４３ａ、７４３ｂを備え、これらの雌型タブ７４３ａ、７４３ｂは、「Ｈ」形分離線によって少なくとも部分的に画定される、長方形または実質的に台形形状である。一対の雌型タブ７４３ａ、７４３ｂはそれぞれ、第２底面パネル７２０に対して折り曲げ可能結合部７４７ａ、７４７ｂを備える。
【０１１２】
好ましくは、各雌型タブ７４３ａ、７４３ｂの両側端は弓形形状である。雌型タブ７４３ａ、７４３ｂは、Ｘｆの長さを有する。
【０１１３】
好ましくは、雌型タブ７４３ａ、７４３ｂは、それらが第２底面パネル７２０に対する折り曲げ可能結合部の点でＹｆ１の幅を有し、自由端でＹｆ２を有し、幅Ｙｆ２が好ましくは幅Ｙｆ１より小さくなるように、先細形状である。
【０１１４】
雄型タブＭ３０２は図２３Ｂに示しめされ、「Ｈ」型分離線によって部分的に画定される、一対の雄型タブ７３９ａ、７３９ｂを備える。各雄型タブ７３９ａ、７３９ｂは、折り目７４１ａ、７４１ｂに沿って第１底面パネル７１２に対して折り曲げられる。
【０１１５】
好ましくは、雄型タブ７３９ａ、７３９ｂは、長方形形状であり、長さＸｍおよび幅Ｙｍを有する。
【０１１６】
好ましい実施形態では、雄型タブ７３９ａ、７３９ｂの長さＸｍは、雌型タブ７４３ａ、７４３ｂのＸｆより大きい。
【０１１７】
好ましい実施形態では、第１底面パネル７１２に対する雄型タブ７３９ａ、７３９ｂの折り曲げ可能結合部７４１ａ、７４１ｂは、エンボス線または折り線によって画定され、好ましくは、エンボス線は、折り曲げ可能結合部７４７ａ、７４７ｂより長い。
【０１１８】
雌型タブ７４３ａ、７４３ｂと第２底面パネル７２０との間の折り曲げ可能結合部７４７ａ、７４７ｂも、エンボス線または折り線によって画定され、好ましくは、折り線は、折り曲げ可能結合部より短い。
【０１１９】
図２２を参照すると、雄型および雌型タブ７３９ａ、７３９ｂ、７４３ａ、７４３ｂは対応する第１および第２底面パネル７１２、７２０の自由端７５０、７６０に対して角度α傾斜して配置されることが分かる。
【０１２０】
好ましい実施形態では、一対の固定手段は、互いに近接して、かつ互いに角度β傾斜して配置され、好ましくは、この一対の固定手段は互いに垂直に配置され、さらに好ましくは、両固定手段が、一対の隣接する物品受容手段７２２によって部分的に画定される、対応する底面パネル７１２、７２０の領域内に設けられる。
【０１２１】
組み立てられた梱包品では、一対の固定手段は、物品Ｂの第１列内の隣接する２つの物品Ｂと、物品Ｂの第２列内の隣接する２つの物品Ｂとの間で画定されるくぼみ（void）を有する所定位置に位置する。
【０１２２】
ここで、ブランク７１０からのカートンの構造を参照すると、カートンが、まっすぐなライン装置での一連の連続折り曲げ作業によって形成され得、これにより、カートンがその構成を完成するのに回転されたり、引っくり返されたりする必要がないことが想定される。折り曲げ工程は、下記のものに限定されず、特有の製造要求によって変えられてもよい。
【０１２３】
カートンは、一群の物品Ｂを中心に図２１のブランク７１０を巻いて、パネル連結手段ＩＭ９の雄型要素Ｍ７０１、Ｍ７０２を雌型要素Ｆ７０１、Ｆ７０２と係合することによって形成される。
【０１２４】
図２４は、図示目的のために物品Ｂが除いて、図２１のブランク７１０から形成されるカートンの底の内部を示す。
【０１２５】
第２底面パネル７２０は、第１底面パネル７１２に重なるように第１底面パネル７１２の内側に折り曲げられている。
【０１２６】
雄型および雌型要素Ｍ７０１、Ｍ７０２、Ｆ７０１、Ｆ７０２は互いに結合する。雄型タブ７３９ａ、７３９ｂは、第１底面パネルの面から出るように折り曲げられており、第２底面パネル７２０を貫いて、すなわち、第２底面パネル７２０の面から出るように雌型タブ７４３ａ、７４３ｂを折り曲げることによって形成された第２底面パネル７２０の穴を通して挿入されている。
【０１２７】
雌型タブ７４３ａ、７４３ｂは、雌型タブ７４３ａ、７４３ｂの側端が雄型タブ７３９ａ、７３９ｂの外面と係合して、雄型タブ７３９ａ、７３９ｂが折り曲げられた位置で維持され、好ましくは、雄型タブ７３９ａ、７３９ｂの内面と、第２底面パネル７２０の内面との間で弓形の角度を形成するように折り曲げられる。言い換えると、雄型タブ７３９ａ、７３９ｂは、９０°より大きく、第１底面パネル７１２の面から出るように折り曲げられ、雌型タブ７４３ａ、７４３ｂによってその位置を維持される。第２底面パネル７２０に形成された孔の両側端の弓形性は、雄型タブ７３９ａ、７３９ｂに作用し、雄型タブ７３９ａ、７３９ｂが孔の両側端で折り曲げられるようにする。
【０１２８】
雌型タブ７４３ａ、７４３ｂの先細形状は、雄型タブ７３９ａ、７３９ｂに作用し、雌型タブ７４３ａ、７４３ｂと第２底面パネル７２０が、第２底面パネル７２０の孔の側端と雌型タブ７４３ａ、７４３ｂの側端との間で雄型タブ７３９ａ、７３９ｂを把持して、雄型タブ７３９ａ、７３９ｂを締め付ける。このことは、カートン７３０が構成される素材の固有の復元力の性質によって自然に起こることが想定され、雌型タブ７４３ａ、７４３ｂは、第２底面パネル７２０の面に戻るように弾性的に付勢されるだろう。雌型タブ７４３ａ、７４３ｂと第２底面パネル７２０との間の折り曲げ可能結合部の長さに部分的に沿ってエンボス線または折り線を設けることによって、より大きな自然な素材の復元力が保持される。
【０１２９】
また、本発明の固定機構が様々なカートンに応用可能であり、その用途が巻き型カートンに限定されないことは明らかであろう。また、連結切れ目およびタブが単一のブランクの両端から、または、２つの分離したパネルから形成され得ることは明確である。
【０１３０】
本明細書で使用されたように、折り曲げ可能結合部の参照物は、１つの折り目のみを必ず参照したものとして構成されるべきではなく、実際は、折り曲げ可能結合部は、引っかき線（ｓｃｏｒｅ  ｌｉｎｅ）、折れやすい線、または、折り目（fold line）から構成され得ることが想定される。
【符号の説明】
【０１３１】
１０  ブランク
１２、１１２、２１２  第１（底面）パネル
１２  第１底面パネル
１４  第１側面パネル
１６  上面パネル
１８  第２側面パネル
２０、１２０、２２０  第２（底面）パネル
２２  ヒール固定孔
２８  切れ目アクセス開梱手段
２４  ボトル上部固定孔
２６  把持手段
３０  カートン
３２  直線切れ目
３４  弓形切れ目
３９、３９ａ、３９ｂ、１３９、１３９ａ、１３９ｂ、２３９、２３９ａ、２３９ｂ  雄型タブ
４１  折り目、折り曲げ可能線
４２  直線切れ目
４３、１４３、２４３  雌型タブ
４４、１４４、２４４  頭部
４８、１４８、２４８  肩部
Ｍ１  雄型要素
Ｆ１  雌型要素
Ｅ  固定孔の両側端
【図１】
2013502352.tif 000003
【図２】
2013502352.tif 000004
【図３】
2013502352.tif 000005
【図４】
2013502352.tif 000006
【図５】
2013502352.tif 000007
【図６】
2013502352.tif 000008
【図７】
2013502352.tif 000009
【図８】
2013502352.tif 000010
【図９】
2013502352.tif 000011
【図１０】
2013502352.tif 000012
【図１１】
2013502352.tif 000013
【図１２Ａ】
2013502352.tif 000014
【図１２Ｂ】
2013502352.tif 000015
【図１３】
2013502352.tif 000016
【図１４】
2013502352.tif 000017
【図１５】
2013502352.tif 000018
【図１６】
2013502352.tif 000019
【図１７】
2013502352.tif 000020
【図１８】
2013502352.tif 000021
【図１９】
2013502352.tif 000022
【図２０】
2013502352.tif 000023
【図２１】
2013502352.tif 000024
【図２２】
2013502352.tif 000025
【図２３Ａ】
2013502352.tif 000026
【図２３Ｂ】
2013502352.tif 000027
【図２４】
2013502352.tif 000028
【国際調査報告】
2013502352.tif 000029
2013502352.tif 000030